(57)【要約】【課題】防水シートの切れ目からスラブの上へ雨水が漏水するような不都合を的確に防止することができるルーフドレインを提供する。【解決手段】露天のスラブに据え付けられるドレイン本体１を備え、このドレイン本体１は筒状の排水管部の上部から漏斗状に拡がって上方に延びる導水部３と、さらにこの導水部３の外周部からその外周側に延び出る張出し部２４とを有している。スラブ４の上には防水シート５が敷き込められ、この防水シート５には開口８が形成され、この開口８の周辺部に放射状の切れ目９が施され、開口８の周辺の切り目９の部分が導水部３の上に接合密着され、さらに切れ目９の部分の外周側部分が張出し部２４の上に接合密着される。これにより、切れ目９の部分からスラブ４の上への雨水の漏水が防止される。【選択図】      図５
2008082110.tif 000002
【特許請求の範囲】
【請求項１】
露天のスラブに据え付けられる縦筒状のドレイン本体を備え、このドレイン本体は筒状の排水管部と、この排水管部の上部から漏斗状に拡がって上方に延びる導水部を有し、前記スラブの上には防水シートを敷き込み、この防水シートに前記排水管部に対向する開口を形成し、この開口の周辺部に放射状に切れ目を入れてその周辺部を前記導水部の上に接合密着させ、この状態で前記導水部の上に防水層押えを配置し、この防水層押えをボルトでドレイン本体に固定し、さらに前記防水層押えの上にストレーナを配置してなるルーフドレインにおいて、
前記ドレイン本体の導水部の外周部に、その外周側に張出す張出し部を一体に形成し、この張出し部の上に前記防水シートの切れ目の部分の外周側周辺部を接合密着させることを特徴とするルーフドレイン。
【請求項２】
前記ドレイン本体の漏斗状の導水部は、前記排水管部の上部から斜め上方にαの角度で傾斜して延び、前記張出し部は前記導水部の外周部から斜め上方に前記αの角度より小さいβの角度で傾斜して延びていることを特徴とする請求項１に記載のルーフドレイン。
【請求項３】
前記導水部の径方向の水平距離長さＬ１と、前記張出し部の径方向の水平距離長さＬ２はほぼ同じ寸法であり、その導水部と張出し部とに渡って接合される防水シートの接合代が約１００ｍｍとなっていることを特徴とする請求項１または２に記載のルーフドレイン。
【請求項４】
前記ドレイン本体の排水管部と導水部との境の部分には、前記防水層押えを固定するためのボルトの頭部を水平方向から脱着可能に挿入してそのボルトを倒立状態で回転不能に保持することが可能なボルト保持部が設けられ、このボルト保持部に保持されたボルトを介して前記防水層押えがドレイン本体に固定されることを特徴とする請求項１ないし３のいずれかに記載のルーフドレイン。
【請求項５】
スラブのコーナー部に据え付けられる断面ほぼＬ状のドレイン本体を備え、このドレイン本体の下部の導水部の外周縁にその外方に向かって延出する張出し部が一体に形成され、前記スラブから前記張出し部の上に渡って防水シートを敷き込む構造のルーフドレインにおいて、
前記張出し部の延出長さＬを約１００ｍｍとし、この張出し部と防水シートとの接合代を約１００ｍｍとしてあることを特徴とするルーフドレイン。
【発明の詳細な説明】
【技術分野】
【０００１】
この発明は、雨水などを排水するためにコンクリート建築物の屋上面やベランダ、バルコニーなどの露天のスラブに設置されるルーフドレインに関する。
【背景技術】
【０００２】
一般にコンクリート建築物の露天のスラブには雨水排水用のルーフドレインが設置される。そして、このルーフドレインに連なるようにスラブの上に防水シートが敷設される。
【０００３】
従来のルーフドレインの一般的な構造を図１２に示してあり、このルーフドレインの本体１は、円筒状の排水管部２と、この排水管部２の上端縁からその外周側に漏斗状に傾斜して拡がる導水部３とを一体に有する筒形状に形成されている。そしてこのドレイン本体１がスラブ４に据え付けられ、前記排水管部２に排水樋６が接続される。
【０００４】
ルーフドレインを施工する手順について説明すると、まずスラブ用のコンクリートを打設する際にそのコンクリートに埋め込むようにしてドレイン本体１をスラブ４に据え付ける。そしてスラブ４の養生後に、そのスラブ４の上の全体に防水シート５を敷き込んで貼り付ける。この際、防水シート５には、図１３（Ａ）に示すように、ドレイン本体１の排水管部２に対向する部分に円形の開口８を形成し、さらにこの開口８の周辺部に放射状に切れ目９を入れてその周辺部を個々の舌片９ａに分け、その各舌片９ａを図１３（Ｂ）および図１４に示すように下方に押し込んで傾斜状態の導水部３の上に接合密着させる。
【０００５】
次に、導水部３の上に図１２に示す防水層押え１２を配置し、この防水層押え１２をボルト１３でドレイン本体１に締結して防水シート５を導水部３に圧着させる。そして防水層押え１２の上にストレーナ１６を配置し、ボルト１７で固定する。これにより施工が完了する。なお、防水シート５は１枚あるいは複数枚を重ねて用いる場合とがある。
【０００６】
降雨時の雨水は防水シート５を伝わってストレーナ１６からドレイン本体１内に入り込み、排水管部２から排水樋６を通して所定の排水部に排出される。
【０００７】
このような防水シートを備えるルーフドレインの構造については、例えば特開２００２−１３２５５公報に開示されている。
【特許文献１】特開２００２−１３２５５公報
【発明の開示】
【発明が解決しようとする課題】
【０００８】
上述のように、この種のルーフドレインにおいては、防水シート５をドレイン本体１の導水部３に接合密着させるために、防水シート５に形成した開口８の周辺部に放射状に切れ目９を入れ、その切れ目９で分かれた各舌片９ａを下方に押し込んで傾斜状の導水部３に沿うように密着させている。ドレイン本体１の導水部３は連続して傾斜する状態にあり、したがって切れ目９の長さはその導水部３の径方向の長さよりやや長い寸法とする必要がある。
【０００９】
ところが、切れ目９の長さが導水部３の径方向の長さより長いと、切れ目９の一部が導水部３の外周側に突出し、この突出部分の切れ目９から雨水がスラブ４の上に漏水してしまうという問題がある。防水シート５の切れ目９の部分には、図１４に鎖線で示すように増貼りシート２０が貼り付けられるが、このような増貼りシート２０を貼り付けてもその内側を通して雨水が漏水してしまう恐れがある。
【００１０】
一方、スラブ４の上に敷設された防水シート５が経年などにより劣化したような場合には、防水シート５の上にさらに防水層を施す改修工事が行なわれる。この改修工事の際には、ドレイン本体１の上からストレーナ１６および防水層押え１２を取り外し、この状態で図１５に示すように防水シート５の上の全域に渡って改修用のアスファルト防水シート５ａを敷き込んで貼り付ける。この後、ドレイン本体１の上に防水層押え１２を載せ、ボルト１３でドレイン本体１に固定し、さらに防水層押え１２の上にストレーナ１６を載せ、ボルト１７で固定する。これにより改修工事が完了する。
【００１１】
ドレイン本体１には、防水層押え固定用のボルト１３をねじ込むためのねじ穴１４が設けられているが、改修用の防水シート５ａを敷き込んで貼り付ける作業のときに、その防水シート５ａからアスファルトピッチ５ｂが滲み出て前記ねじ穴１４内に入り込んでしまうことがある。
【００１２】
前記アスファルトピッチ５ｂは防水シート５ａの縁とドレイン本体１との間をシールする上で有効であるが、アスファルトピッチ５ｂがねじ穴１４内に少しでも入り込むと、そのねじ穴１４の周面のねじ溝が詰まり、防水層押え１２を固定するためのボルト１３をそのねじ穴１４内にねじ込むことが困難となり、防水層押え１２をボルト１３で固定することができなくなる。
【００１３】
改修用の防水シート５ａとしてアスファルト防水シート以外のものが使用されることもあり、この場合には防水シート５ａの縁とドレイン本体１との間に別途のシール材を塗り込むが、この場合にもそのシール材がねじ穴１４内に少しでも入り込むと、同様にそのねじ穴１４の周面のねじ溝が詰まり、防水層押え１２を固定するためのボルト１３をそのねじ穴１４内にねじ込むことが困難となり、防水層押え１２をボルト１３で固定することができなくなる。
【００１４】
この発明はこのような点に着目してなされたもので、その目的とするところは、防水シートの切れ目からスラブへの漏水を的確に防止することができるルーフドレインを提供し、さらに防水層改修工事後であっても防水層押えを所定のボルトを用いて容易に固定することができるルーフドレインを提供することにある。
【課題を解決するための手段】
【００１５】
請求項１の発明は、露天のスラブに据え付けられる縦筒状のドレイン本体を備え、このドレイン本体が筒状の排水管部と、この排水管部の上部から漏斗状に拡がって上方に延びる導水部を有し、前記スラブの上には防水シートを敷き込み、この防水シートに前記排水管部に対向する開口を形成し、この開口の周辺部に放射状に切れ目を入れてその周辺部を前記導水部の上に接合密着させ、この状態で前記導水部の上に防水層押えを配置し、この防水層押えをボルトでドレイン本体に固定し、さらに前記防水層押えの上にストレーナを配置してなるルーフドレインにおいて、前記ドレイン本体の導水部の外周部に、その外周側に張出す張出し部を一体に形成し、この張出し部の上に前記防水シートの切れ目の部分の外周側周辺部を接合密着させることを特徴としている。
【００１６】
請求項２の発明は、前記ドレイン本体の漏斗状の導水部が、前記排水管部の上部から斜め上方にαの角度で傾斜して延び、前記張出し部は前記導水部の外周部から斜め上方に前記αの角度より小さいβの角度で傾斜して延びていることを特徴としている。
【００１７】
請求項３の発明は、前記導水部の径方向の水平距離長さＬ１と、前記張出し部の径方向の水平距離長さＬ２はほぼ同じ寸法であり、その導水部と張出し部とに渡って接合される防水シートの接合代が約１００ｍｍとなっていることを特徴としている。
【００１８】
請求項４の発明は、前記ドレイン本体の排水管部と導水部との境の部分には、前記防水層押えを固定するためのボルトの頭部を水平方向から脱着可能に挿入してそのボルトを倒立状態で回転不能に保持することが可能なボルト保持部が設けられ、このボルト保持部に保持されたボルトを介して前記防水層押えがドレイン本体に固定されることを特徴としている。
【００１９】
請求項５の発明は、スラブのコーナー部に据え付けられる断面ほぼＬ状のドレイン本体を備え、このドレイン本体の下部の導水部の外周縁にその外方に向かって延出する張出し部が一体に形成され、前記スラブから前記張出し部の上に渡って防水シートを敷き込む構造のルーフドレインにおいて、前記張出し部の延出長さＬを約１００ｍｍとし、この張出し部と防水シートとの接合代を約１００ｍｍとしてあることを特徴としている。
【発明の効果】
【００２０】
この発明によれば、ドレイン本体の導水部の外周部にさらにその外周側に延びる張出し部を設け、その張出し部の上に防水シートの切れ目の部分の外周側周辺部を接合密着させるようにしたから、防水シートの切れ目からスラブへの漏水を確実に防止することができる。
【００２１】
特に、請求項４の発明では、ドレイン本体の排水管部と導水部との境の部分に、防水層押えを固定するためのボルトの頭部を水平方向から脱着可能に挿入してそのボルトを倒立状態で回転不能に保持することが可能なボルト保持部を設け、このボルト保持部で保持したボルトを介して前記防水層押えをドレイン本体に固定するようにしたから、前記ボルトを取り外し、防水シートの上に改修用の防水シートを敷き込んで改修する工事の際に前記ボルト保持部内にアスファルトピッチ５ｂやシール材が多少入り込んだとしても、改修工事後に前記ボルト保持部内にボルトの頭部を押し込みその圧力でアスファルトピットやシール材を変形させてそのボルト保持部にボルトを装着することができ、したがって改修工事後に所定のボルトを用いて防水層押えを容易に固定することができる。
【発明を実施するための最良の形態】
【００２２】
以下、この発明の実施形態について図１ないし図１１を参照して説明する。なお、図１２ないし図１５に示す従来の構成と対応する部分には同一の符号を付して重複する説明を省略する。
【００２３】
図１には第１の実施形態に係るルーフドレインの全体の構成を示してある。この発明のドレイン本体１は円筒状の排水管部２と、この排水管部２に連なる漏斗状の導水部３とを一体に有すると共に、さらに導水部３の外周部からその外方側に一体に延びる張出し部２４を有している。そして排水管部２の内周部に排水樋ねじ込み用のねじ部２ａが形成されている。
【００２４】
図２にはドレイン本体１の断面図を示してあり、この図に示すように、導水部３はドレイン本体１の中心部からその外方側に向かって斜め上方にαの角度で傾斜し、この導水部３から張り出す張出し部２４はドレイン本体１の中心部からその外方側に向かって斜め上方にβの角度で傾斜している。導水部３の傾斜の角度αは比較的大きな角度、例えば２２°であり、張出し部２４の傾斜の角度βはαよりも十分に小さい角度、例えば７．６°となっている。また導水部３の径方向の水平距離長さＬ１と張出し部２４の径方向の水平距離長さＬ２はほぼ同じで、その和の長さ（Ｌ１+Ｌ２）が約１００ｍｍとなっている。例えばＬ１が５２ｍｍ、Ｌ２が４５ｍｍである。
【００２５】
排水管部２と導水部３との境の部分には環状に連続して延びる段部２５が形成されている。そしてこの段部２５の例えば周方向の三箇所にボルト保持部２６が設けられている。図３にはボルト保持部２６の構造を示してあり、このボルト保持部２６は防水層押え１２をドレイン本体１に固定するための図１に示す六角ボルト２７の頭部２７ａの収容が可能な収容部２９を有し、導水部３の中心部に向く壁面には前記収容部２９に通じる開口３０が形成され、さらにこのボルト保持部２６の上面には前記開口３０の上側縁部から前記収容部２９の上面位置に渡って延び、六角ボルト２７の軸部２７ｂの挿通が可能なＵ字状の切欠き３１が形成されている。
【００２６】
図４には防水層押え１２の平面図を示してあり、この防水層押え１２は円環状をなし、内周縁の三箇所には前記ボルト保持部２６に対応する係合部３３が形成されている。これら係合部３３は前記ボルト保持部２６に装着される六角ボルト２７の軸部２７ｂの挿通が可能なＵ字状の切欠きにより構成さている。また、この防水層押え１２の外周縁部の二箇所にはストレーナ固定用のボルト１７をねじ込むためのねじ穴３５が形成されている。
【００２７】
次に、施工の手順について説明する。
【００２８】
まずスラブ用のコンクリートを打設し、そのコンクリートに埋め込むようにしてドレイン本体１をスラブ４に据え付ける。そしてスラブ４の養生後に、スラブ４の上の全体に防水シート５を敷き込んで貼り付ける。この際、防水シート５には、図５（Ａ）に示すように、ドレイン本体１の排水管部２に対向する部分において円形の開口８を形成する。
【００２９】
この開口８の直径は排水管部２の内径とほぼ同じ寸法である。そしてこの開口８の周辺部に放射状に切り目９を入れる。この切り目９の長さは、導水部３の径方向の長さＬ１とほぼ同じかそれよりやや大きい長さとする。
【００３０】
そして、図５（Ｂ）に示すように、放射状に切れ目９を施すことで互いに分離した防水シート５の各舌片９ａを下方に押し込んで導水部３の上に接合密着させる。この際、防水シート５の切れ目９を施した部分の外周側、つまりドレイン本体１の張出し部２４に対応する部分も下方に押し込んでその張出し部２４の上に接合密着させる。
【００３１】
ドレイン本体１の導水部３は比較的大きな角度αで傾斜しているが、開口８の周辺部に放射状の切れ目９を施すことでその導水部３に防水シート５を密着させることができる。ドレイン本体１の張出し部２４はその傾斜の角度βが小さく、したがってこの部分においては切れ目を施すことなく防水シート５の柔軟性によりその張出し部２４に防水シート５を密着させることができる。
【００３２】
この実施形態では、導水部３の径方向の長さＬ１が５２ｍｍ、張出し部２４の径方向の長さＬ２が４５ｍｍで、その和が約１００ｍｍとなっているから、防水シート５のドレイン本体１に対する接合代（貼り代）が約１００ｍｍの幅に確保される。なお、図６に示すように、防水シート５の切れ目９の部分に鎖線で示す増貼りシート２０を貼り付けることも可能である。
【００３３】
このようにして防水シート５を敷設した後には、図１に示すようにドレイン本体１の上に防水層押え１２を載せ、この防水層押え１２の各係合部３３をドレイン本体１におけるボルト保持部２６の切欠き３１に合わせる。そしてボルト保持部２６の収容部２９内に六角ボルト２７の頭部２７ａを挿入する。この際、六角ボルト２７は頭部２７ａを下に向け、軸部２７ｂを垂直に立てる倒立の状態でその頭部２７ａを開口３０を通して水平方向から収容部２９内に挿入する。そして軸部２７ｂをボルト保持部２６の切欠き３１に通し、さらに防水層押え１２の係合部３３に係合させる。
【００３４】
収容部２９内に挿入された六角ボルト２７の頭部２７ａは、その六角の側面のうちの相対応する二側面が収容部２９の内壁面に接触するためその軸回り方向の回転が不能となる。
【００３５】
各六角ボルト２７の軸部２７ｂの上端部は、防水層押え１２の係合部３３の上方に突出するから、この突出部にナット３８を螺合して締め付け、防水層押え１２を下方に押圧する。この押圧で防水層押え１２とドレイン本体１の導水部３との間に防水シート５が挟み込まれる。
【００３６】
この後、防水層押え１２の上にストレーナ１６を載せ、このストレーナ１６の周縁部の二箇所から防水層押え１２のねじ穴１４にボルト１７を挿入し、これらボルト１７を締め付けてストレーナ１６を防水層押え１２に固定する。また、ドレイン本体１の排水管部２の下部内周のねじ部２ａにスラブ４の下側から排水樋６をねじ込んでドレイン本体１に接続する。これにより施工が完了する。
【００３７】
このようなルーフドレインによれば、防水シート５の切れ目９の部分の外周側周辺部がドレイン本体１の張出し部２４に密着しており、このため雨水が切れ目９に浸透してもその雨水は張出し部２４や導水部３で受け止められ、スラブ４の上への漏水を防止でき、スラブ４に対する高い防水性を確保することができる。
【００３８】
ところで、防水シート５が経年などにより劣化した場合には、改修工事が行なわれる。この改修工事の際には、ドレイン本体１の上からストレーナ１６、防水層押え１２を取り外し、さらにドレイン本体１のボルト保持部２６から六角ボルト２７を抜き取り、この状態で図７に示すように既設の防水シート５の上の全域からドレイン本体１の導水部３および張出し部２４に渡って改修用のアスファルト防水シート５ａを敷き込んで貼り付ける。
【００３９】
この後、ドレイン本体１の上に防水層押え１２を載せ、この防水層押え１２を六角ボルト２７およびナット３８でドレイン本体１に締結し、さらに防水層押え１２の上にストレーナ１６を載せ、ボルト１７で固定する。これにより改修工事が完了する。
【００４０】
ドレイン本体１の上に改修用のアスファルト防水シート５ａを敷き込んで貼り付ける際に、防水シート５ａの縁からアスファルトピッチ５ｂが滲み出てドレイン本体１のボルト保持部２６内に切欠き３１を通して入り込むことがある。従来のねじ穴構造の場合には、アスファルトピッチ５ｂが少しでも入り込むと、そのねじ穴の周面のねじ溝が詰まり、防水層押え１２を固定するためのボルトをねじ込むことが困難となるが、本実施形態では防水層押え固定用の六角ボルト２７の頭部２７ａをボルト保持部２６内の収容部２９に押し込んで装着し、その六角ボルト２７で防水層押え１２を固定する構造であるから、ボルト保持部２６の収容部２９内に少量のアスファルトピッチ５ｂが入り込んだとしても、六角ボルト２７の頭部２７ａを収容部２９内に押し込む際の圧力でアスファルトピッチ５ｂを変形させて頭部２７ａの挿入が可能となる。すなわち、ボルト保持部２６内に多少のアスファルトピッチ５ｂが入り込んでも六角ボルト２７をそのボルト保持部２６に装着して防水層押え１２をドレイン本体１に固定することができる。したがって、改修の作業能率を高めることができる。
【００４１】
なお、改修用の防水シート５ａとしてアスファルト防水シート以外のものが使用されることもあり、この場合には防水シート５ａの縁とドレイン本体１との間に別途のシール材を塗り込む。この際、そのシール材の一部がボルト保持部２６内に入り込んだとしても、同様に六角ボルト２７の頭部２７ａを収容部２９内に押し込む際の圧力でそのシール材を変形させて頭部２７ａの挿入が可能となる。
【００４２】
前記実施形態では、ドレイン本体１の排水管部２の内周にねじ部２ａを形成し、排水管部２の内側に排水樋６をねじ込んで取り付ける構造としてあるが、図８に第２の実施形態として示すように、排水管部２を下方に向かって先細となるテーパー形状の筒状とし、このテーパー形状の排水管部２の外周に排水樋６を圧入して接続する構造とすることも可能である。
【００４３】
また、図９に第３の実施形態として示すように、ドレイン本体１の導水部３の上に防水シート５，５ａの縁の位置を合わせするための目印を設けるようにすることも可能である。すなわち、図９（Ａ）に示す例では、ドレイン本体１の導水部３の上面に、防水シート５の縁を合わせするための目印として凹部３ａが、改修用の防水シート５ａの縁を合わせするための目印として段部３ｂがそれぞれ形成されている。図９（Ｂ）に示す例では、ドレイン本体１の導水部３の上面に、防水シート５の縁を合わせするための目印として凸部３ｃが、改修用の防水シート５ａの縁を合わせするための目印として凹部３ｄがそれぞれ形成されている。このような目印を設けることにより、防水シート５，５ａをドレイン本体１の上に敷き込んで貼り付ける際に、その縁を所定の位置に的確に合わせることができる。
【００４４】
なお、ドレイン本体１の張出し部２４の傾斜の角度βは、ほぼ水平に近いごく小さな角度であってもよく、またスラブ４の表面にドレイン本体１に向かって僅かに下方に傾斜する勾配がつけられている場合には、ドレイン本体１の張出し部２４の傾斜の角度βをそのスラブ４の勾配の角度とほぼ同じとすることも可能である。
【００４５】
図１０および図１１には第４の実施形態を示してあり、この実施形態は横引き排水用のルーフドレインの場合の例である。このルーフドレインの本体４１は断面ほぼＬ状をなし、その垂直壁面には排水口４２が形成され、さらに垂直壁面の背面に前記排水口４２に通じる排水管部４３が一体に形成されている。そしてこのドレイン本体４１は、露天のスラブ４９のコーナー部に据え付けられ、前記排水管部４３に排水樋４４が横向きに接続されている。
【００４６】
ドレイン本体４１の下部は前記排水口４２の下部周縁に連接する断面円弧状の導水部４５となっている。この導水部４５はドレイン本体４２の前方側に向かって斜め上方に僅かに傾斜してその前方側に延びている。そして、この導水部４５の外周縁にはその前方及び側方に向かって延びる張出し部４６が一体に形成されている。この張出し部４６はドレイン本体４１の前方及び側方に向かって前記導水部４５の傾斜の角度より小さい角度で斜め上方に傾斜して延出し、その延出長さＬが約１００ｍｍとなっている。
【００４７】
そしてスラブ４９から張出し部４６の上に渡って防水シート４８が敷き込まれて貼り付けられている。ドレイン本体１の上には断面ほぼＬ状の防水層押え５０が配置され、この防水層押え５０はボルト５１でドレイン本体４１に固定され、この防水層押え５０により張出し部４６の上の防水シート４８が押え付けられている。防水層押え５０の上にはストレーナ５２が配置され、このストレーナ５２はボルト５３で防水層押え５０に固定されている。
【００４８】
降雨時の雨水は、防水シート４８の上からストレーナ５２を通してドレイン本体４１の導水部４５に流れ込むとともに、排水管部４３から排水樋４４を通して所定の排水部に排出される。
【００４９】
防水シート４８が貼り付けられる張出し部４６の長さＬは約１００ｍｍであり、したがって防水シート４８とドレイン本体４１との接合代（貼り代）が約１００ｍｍという長い幅に確保でき、このため防水シート４８とドレイン本体４１との接合部からの漏水を確実に防止でき、スラブ４９に対する防水性を高めることができる。
【図面の簡単な説明】
【００５０】
【図１】この発明の第１の実施形態に係るルーフドレインの全体の構成を示す断面図。
【図２】そのルーフドレインの本体の断面図。
【図３】そのドレイン本体に設けられたボルト保持部の斜視図。
【図４】そのルーフドレインの防水層押えの平面図。
【図５】そのルーフドレインンに対する防水シートの敷設作業手順を示す斜視図。
【図６】その防水シートの敷設状態を示す平面図。
【図７】その防水シートの上に改修用の防水シートを施すときの状態を示す断面図。
【図８】この発明の第２の実施形態に係るルーフドレインの本体の構造を示す断面図。
【図９】この発明の第３の実施形態を説明するための断面図。
【図１０】この発明の第４の実施形態に係るルーフドレインの断面図。
【図１１】この発明の第４の実施形態に係るルーフドレインの正面図。
【図１２】従来のルーフドレインを示す断面図。
【図１３】そのルーフドレインに対する防水シートの敷設作業手順を示す斜視図。
【図１４】その防水シートの敷設状態を示す平面図。
【図１５】その防水シートの上に改修用の防水シートを施すときの状態を示す断面図。
【符号の説明】
【００５１】
１…ドレイン本体
２…排水管部
３…導水部
４…スラブ
５…防水シート
５ａ…改修用の防水シート
６…排水樋
８…開口
９…切れ目
１６…ストレーナ
２６…ボルト保持部
２９…収容部
３０…開口
４１…ドレイン本体
４３…排水管部
４４…排水樋
４５…導水部
４８…防水シート
４９…スラブ
５２…ストレーナ
【図１】
2008082110.tif 000003
【図２】
2008082110.tif 000004
【図３】
2008082110.tif 000005
【図４】
2008082110.tif 000006
【図５】
2008082110.tif 000007
【図６】
2008082110.tif 000008
【図７】
2008082110.tif 000009
【図８】
2008082110.tif 000010
【図９】
2008082110.tif 000011
【図１０】
2008082110.tif 000012
【図１１】
2008082110.tif 000013
【図１２】
2008082110.tif 000014
【図１３】
2008082110.tif 000015
【図１４】
2008082110.tif 000016
【図１５】
2008082110.tif 000017